(57)【要約】【課題】    管状光源を備える面光源装置、またはこれを用いる液晶表示装置において、金属フレーム等の導電性ケーシング部材が省かれている場合にも、管状光源の個所についての接地を容易かつ確実に行うことのできるものを提供する。【解決手段】コンピュータ本体から延びる接地ケーブル２に導体露出個所２１を設け、この導体露出個所２１が、金属製のランプ・リフレクタ（反射体）３２に接触して導通するようにする。特に、樹脂フレーム１に、舌状の板バネをなす押圧片１１を設け、この押圧片１１が、接地ケーブル２の導体露出個所２１を、管状光源３１の金属製ホルダー等に押し付けるようにする。【選択図】  図１
2006208614.tif 000002
【特許請求の範囲】
【請求項１】
管状光源と、一端面をこの管状光源に近接させ、該端面から入射される前記管状光源からの光を主表面から面状光として出射させる導光板と、前記管状光源を外側から覆うように配される反射体と、少なくとも前記反射体を保持する樹脂フレームと、外部接地端子に接続されたケーブルとを備えた液晶表示装置であって、
前記樹脂フレームには、前記ケーブルにおける導体露出個所を前記反射体に押し付けるためのバネ状の押圧片が設けられ、これにより、前記反射体が、前記ケーブルを介して前記外部接地端子に電気的に接続されることを特徴とする液晶表示装置。
【請求項２】
前記押圧片が舌状であることを特徴とする請求項１記載の液晶表示装置。
【請求項３】
前記樹脂フレームには、前記管状光源に沿った個所に、インバーター回路基板を載せるための台部が設けられていることを特徴とする請求項１記載の液晶表示装置。
【請求項４】
管状光源と、一端面をこの管状光源に近接させ、該端面から入射される前記管状光源からの光を伝達しつつ主表面から出射させる導光板と、前記管状光源を外側から覆うように配される反射体と、少なくとも前記反射体を保持する樹脂フレームと、を備えた面光源装置であって、
前記樹脂フレームには、外部のケーブルの導体露出個所を前記反射体に押し付けるためのバネ状の押圧片が設けられ、これにより、前記反射体が、前記ケーブルを介して前記外部接地端子に電気的に接続されることを特徴とする面光源装置。
【発明の詳細な説明】
【技術分野】
【０００１】
本発明は、液晶表示装置、及びこれに用いる面光源装置に関する。
【背景技術】
【０００２】
液晶表示装置等の平面表示装置は、薄型、軽量、低消費電力といった特徴を生かして、テレビ、各種コンピュータ、カーナビゲーションシステム等のための画像表示装置として利用されるようになってきた。
【０００３】
例えば、光透過型の液晶表示装置は、一対の透明基板の間に液晶層を保持して成る液晶パネルと、この液晶パネルの裏面（画像表示面とは逆の面）上に配されてこの液晶パネルに光源光を導く面光源装置とを含む。
【０００４】
面光源装置は、大別すると、蛍光ランプ等の管状光源が、表示パネルの直下（裏面側）に複数配列された直下型のものと、管状光源が導光板の端面に近接して配されて導光板の上面（主表面）から光が出射されるサイドライト型（エッジライト方式）とがある。
【０００５】
平面表示装置について一層の装置の薄型化、小型化を行うには、面光源装置の薄型化を達成する必要があるため、バックライトとしての面光源装置は、サイドライト型（エッジライト方式）が主流となっている。
【０００６】
なお、反射型の液晶表示装置においては、サイドライト型の面光源装置であって表示パネルの表示面側に配置されるもの（フロントライト）が用いられる。
【０００７】
エッジライト方式のバックライトにおいては、例えば、管状光源からの光源光は、アクリル樹脂などの薄板からなる導光板の側端面から入射して、導光板中を伝搬し、導光板裏面に配置された反射シートにより導光板裏面から外部へ漏れる光が反射され再び導光板に戻され、液晶パネル側の導光板主表面から出射される。
【０００８】
管状光源は、発光面の全周へと光源光を出射するので、導光板側以外の方向に出射された光を導光板の側端面の側へと導くための反射部材（ランプ・リフレクタ）が配される。この反射部材は、通常、金属層を表面に設けたフィルムや、金属板といった導電性の材料からなる。
【０００９】
面光源装置のランプは、通常、高周波で作動する蛍光管からなり、電磁ノイズの発生源となる。そこで、ランプ・リフレクタと、液晶表示装置のケーシングをなす金属フレーム等とを導通させることで、ランプ・リフレクタの接地（アース）を実現している（特許文献１乃至２を参照）。
【特許文献１】特開平１１−３１１７７５号公報
【特許文献２】特開２００１−７５４８５号公報
【発明の開示】
【発明が解決しようとする課題】
【００１０】
近年、携帯型パーソナルコンピュータや携帯型端末といった、いわゆるモバイル用途への液晶表示装置等の利用が急速に拡大しており、このような用途では、小型化及び軽量化が特に求められる。そのため、金属フレーム等のケーシング部材を省くことが試みられている。
【００１１】
このように金属フレームレスの液晶表示装置等であると、ランプ・リフレクタのアースを充分に取るのが困難となっていた。そのため、管状光源にちらつきが発生し、表示性能を劣化させてしまうという問題があった。
【００１２】
本発明は、上記問題点に鑑みなされたものであり、液晶表示装置、またはこれに用いられる面光源装置において、金属フレーム等の導電性ケーシング部材が省かれている場合にも、管状光源の個所についての接地を容易かつ確実に行うことのできる液晶表示装置、またはこれに用いられる面光源装置を提供することを目的とするものである。
【課題を解決するための手段】
【００１３】
本発明の液晶表示装置は、管状光源と、一端面をこの管状光源に近接させ、該端面から入射される前記管状光源からの光を主表面から面状光として出射させる導光板と、前記管状光源を外側から覆うように配される反射体と、少なくとも前記反射体を保持する樹脂フレームと、外部接地端子に接続されたケーブルとを備えた液晶表示装置であって、前記樹脂フレームには、前記ケーブルにおける導体露出個所を前記反射体に押し付けるためのバネ状の押圧片が設けられ、これにより、前記反射体が、前記ケーブルを介して前記外部接地端子に電気的に接続されることを特徴とする。
【００１４】
本発明の面光源装置は、管状光源と、一端面をこの管状光源に近接させ、該端面から入射される前記管状光源からの光を伝達しつつ主表面から出射させる導光板と、前記管状光源を外側から覆うように配される反射体と、少なくとも前記反射体を保持する樹脂フレームと、を備えた面光源装置であって、前記樹脂フレームには、外部のケーブルの導体露出個所を前記反射体に押し付けるためのバネ状の押圧片が設けられ、これにより、前記反射体が、前記ケーブルを介して前記外部接地端子に電気的に接続されることを特徴とする。
【発明の効果】
【００１５】
管状光源の個所についての接地を容易かつ確実に行うことができる。
【発明を実施するための最良の形態】
【００１６】
本発明の実施の形態について、図１乃至２を用いて説明する。
【００１７】
液晶表示装置１０は、面光源装置３、液晶パネル４、及びこれらを収納する樹脂フレーム１からなる。また、外部接地端子に電気的に接続する接地ケーブル２を備える。面光源装置３は、管状光源３１と、この管状光源３１に沿って配置される導光板３５と、管状光源３１の光を導光板３５の端面へと導く金属製のランプ・リフレクタ３２とからなる。また、管状光源３５は、その両端の個所で、図示せぬランプホルダーによって保持され、さらにランプホルダーはランプ・リフレクタ３２によって保持されている。ランプ・リフレクタ３２は樹脂フレーム１にて保持されている。
【００１８】
金属製のランプ・リフレクタ３２は、接地ケーブル２に電気的に接続されて接地が行われている。図１に示す例において、接地ケーブル２には、周面側への電気的導通を行う導体露出部２１が設けられている。この導体露出部２１は、例えば、銅の撚り線等からなる内部の金属導線２２の周りに、絶縁被覆シースに代えて、導電性粘着テープ２３が巻かれて形成されている。
【００１９】
接地ケーブル２の導体露出部２１は、樹脂フレーム１の一部に設けられた舌状の押圧片１１により、ランプ・リフレクタ３２に押し付けられている。この押圧片１１は、板バネの作用により押圧を行うため、液晶表示装置１０が、振動や衝撃を受けた際にも、確実に導体露出部２１とランプ・リフレクタ３２との導通を実現する。すなわち、管状光源３の接地を確実かつ容易に実現する。
【００２０】
以下に、液晶表示装置１０のより詳細な構成について、図１〜２を用いて説明する。図示の例で、液晶パネル４は透過型であり、面光源装置１０はバックライト型である。導光板３５の一方の主表面が出射面であり、図１では下方に描かれている。導光板３５の裏面（図１の上面）には、反射シート３６が配置されている。導光板３５の出射面には、導光板３５に垂直の方向へと集光を行うためのプリズムシート３７が配置されている。
【００２１】
管状光源３１を取り囲むように覆うランプ・リフレクタ３２は、ステンレス鋼等の金属板を断面略コの字状に折り曲げ加工したものであり、その長手方向の両端部分でその内部に図示せぬランプホルダーを保持する。また、樹脂フレーム１は、管状光源３１の近傍において、垂直壁１３（導光板３５等に対して垂直の壁部）及び水平壁１４とからなる断面略Ｌ字状をなす。そして、押圧片１１の配置個所近傍では、水平壁１４の根元部分１５は出射面側へと陥没し、その裏面側（図１の上方）に向かって溝状の凹部をなす。すなわち、水平壁１４の根元部分は、断面が略Ｌ字状に折れ曲がって、垂直壁１３の内側面に接続している。さらに舌状の押圧片１１は、樹脂フレーム１の水平壁１４の一部として一体的に設けられている。なお、図示の例では、管状光源３１の端部からランプ電源へと導通させるハーネス線３３が、樹脂フレーム１における断面Ｌ字状の根元部分１５に接して、その出射面側に配置されている。
【００２２】
一方、表示パネル４は、アレイ基板４１が対向基板４２の端縁から管状光源３１の側へと突き出した棚状部分に、テープキャリアパッケージ（ＴＣＰ）４３が接続されている。ＴＣＰ４３は、樹脂フレーム１の垂直壁１３が導光板３５の側へと陥没した個所を巻くようにして配置され、導光板３５の裏面に配置されたプリント配線基板４４の端子部に、ハンダ付けにより、または異方性導電フィルム（ＡＣＦ）を介した熱圧着により、接続されている。
【００２３】
なお、隣り合うＴＣＰ４３の間に挟まれた個所では、樹脂フレーム１の水平壁１４が、他の部分よりも裏面側（図２の紙面の表側）へと台状ないしステージ状に突き出しており、管状光源３１のインバーター回路基板（不図示）を搭載するためのインバーターステージ１２をなしている。図示の具体例で３つのインバーターステージ１２が形成されており、これらの上に、１つの長尺のインバーター回路基板が接着等により固定される。
【００２４】
このような構成により、管状光源３１に沿った個所にＴＣＰ４３及びインバーターを収納することができ、面光源装置３及び液晶表示装置１０の寸法を最小限とすることができる。
【００２５】
上記説明においては、面光源装置がバックライトであるとしたが、フロントライトであっても全く同様である。また、管状光源専用の接地ケーブルが設けられるものとして説明したが、他のケーブルであっても良い。例えば、液晶表示装置とコンピュータ装置本体との間を結ぶ各種のインターフェースケーブルであっても良い。また、上記説明においては、接地ケーブルの導体露出個所が、導電性粘着テープが巻かれてなるものとして説明したが、金属撚り線等が単純に露出したものであっても良い。
【図面の簡単な説明】
【００２６】
【図１】実施の形態となる液晶表示装置の要部断面斜視図である。
【図２】図１の液晶表示装置についての裏面からの平面図である。管状光源用のインバーター回路基板は省略されている。
【符号の説明】
【００２７】
１  樹脂フレーム
１０  液晶表示装置
１１  樹脂フレームの押圧片
１２  インバーターステージ
２  接地ケーブル
２１  接地ケーブルの導体露出部
２２  接地ケーブル内部の導体
２３  導電性粘着テープ
３  面光源装置
３１  管状光源
３２  ランプ・リフレクタ
３３  ハーネス線
３５  導光板
４  液晶パネル
４３  テープキャリアパッケージ（ＴＣＰ）
４４  プリント配線基板
【図１】
2006208614.tif 000003
【図２】
2006208614.tif 000004